(57)【要約】【課題】利用者の希望する情報を効率的に提供すると共に、情報提供における安全性を高く保つことのできる情報提供装置を提供する。【解決手段】デジタルデータに含まれる複数の部分データに対して設定されたセキュリティレベルに応じて、デジタルデータのうち各部分データを提供するか否かを判断する提供制御手段５３５と、提供制御手段５３５が提供すると判断した部分データを含む提供用デジタルデータに編成する再編成手段５３６と、再編成手段５３６によって再編成された提供用デジタルデータを提供する提供手段５０とを備えた。【選択図】      図８
2004287525.tif 000002
【特許請求の範囲】
【請求項１】
デジタルデータに含まれる複数の部分データに対して設定されたセキュリティレベルに応じて、前記デジタルデータのうち各部分データを提供するか否かを判断する提供制御手段と、
前記提供制御手段が提供すると判断した前記部分データを含む提供用デジタルデータに編成する再編成手段と、
前記再編成手段によって再編成された提供用デジタルデータを提供する提供手段と
を備えたことを特徴とする情報提供装置。
【請求項２】
前記デジタルデータを取得するデジタルデータ取得手段と、
前記デジタルデータ取得手段が取得した前記デジタルデータの一部である部分データを特定する部分データ特定手段と、
前記部分データ特手段により特定された各部分データに対してセキュリティレベルを設定するセキュリティレベル設定手段と
をさらに備え、
前記提供制御手段は、前記セキュリティレベル設定手段が設定した前記セキュリティレベルに応じて、前記部分データを提供するか否かを判断することを特徴とする請求項１に記載の情報提供装置。
【請求項３】
前記セキュリティレベル設定手段は、前記デジタルデータの各部分データに対して、前記セキュリティレベルを示す情報を付与することを特徴とする請求項２に記載の情報提供装置。
【請求項４】
前記セキュリティレベルの指定を受け付ける指定受付手段をさらに備え、
前記セキュリティレベル設定手段は、前記指定受付手段が受け付けた指定に基づいて、各部分データに対して前記セキュリティレベルを設定することを特徴とする請求項１から３のいずれか一項に記載の情報提供装置。
【請求項５】
前記デジタルデータを提供すべき利用者を識別する利用者識別情報と、各利用者に対して設定された前記セキュリティレベルとを対応付ける利用者テーブルと、
前記利用者から前記デジタルデータの提供要求を受け付ける指定受付手段と、
前記指定受付手段が前記提供要求を受け付けた場合に、前記利用者テーブルを参照して、要求元の前記利用者に対応付けられている前記セキュリティレベルを特定するセキュリティレベル特定手段と
をさらに備え、
前記提供制御手段は、提供要求を受け付けた前記デジタルデータのうち、前記セキュリティレベル特定手段が特定した前記セキュリティレベルに対応する部分データの提供を許可することを特徴とする請求項１から４のいずれか一項に記載の情報提供装置。
【請求項６】
前記利用者に対する前記セキュリティレベルを設定する設定手段をさらに備え、
前記利用者テーブルは、前記設定手段によって設定された前記セキュリティレベルを各利用者識別情報に対応付けることを特徴とする請求項５に記載の情報提供装置。
【請求項７】
前記再編成手段は、前記提供制御手段が提供しないと判断した部分データを、当該部分データの内容を利用者が認識不可能な状態に変換し、
前記提供手段は、前記部分データが変換された後の前記デジタルデータを提供することを特徴とする請求項１から６のいずれか一項に記載の情報提供装置。
【請求項８】
前記デジタルデータは、少なくとも動画データを含むことを特徴とする請求項１から７のいずれか一項に記載の情報提供装置。
【請求項９】
前記デジタルデータは、少なくとも音声データを含むことを特徴とする請求項１から８のいずれか一項に記載の情報提供装置。
【請求項１０】
前記デジタルデータは、少なくとも静止画データを含むことを特徴とする請求項１から９のいずれか一項に記載の情報提供装置。
【請求項１１】
前記再編成手段は、前記提供制御手段が提供しないと判断した部分データにモザイク処理を施し、
前記提供手段は、前記モザイク処理された前記部分データを含む前記デジタルデータを提供することを特徴とする請求項１０に記載の情報提供装置。
【請求項１２】
前記デジタルデータは、少なくとも動画データ、音声データ、および静止画データのうちいずれか２つを含み、
前記セキュリティレベル設定手段は、各データ毎に前記セキュリティレベルを設定することを特徴とする請求項１から７のいずれか一項に記載の情報提供装置。
【請求項１３】
デジタルデータに含まれる複数の部分データに対して設定されたセキュリティレベルに応じて、前記デジタルデータのうち各部分データを提供するか否かを判断する提供制御ステップと、
前記提供制御ステップにおいて提供すると判断した前記部分データを含む提供用デジタルデータに編成する再編成ステップと、
前記再編成ステップにおいて再編成された提供用デジタルデータを提供する提供ステップと
を有することを特徴とする情報提供方法。
【請求項１４】
情報提供方法をコンピュータに実行させる情報提供プログラムであって、
デジタルデータに含まれる複数の部分データに対して設定されたセキュリティレベルに応じて、前記デジタルデータのうち各部分データを提供するか否かを判断する提供制御ステップと、
前記提供制御ステップにおいて提供すると判断した前記部分データを含む提供用デジタルデータに編成する再編成ステップと、
前記再編成ステップにおいて再編成された提供用デジタルデータを提供する提供ステップと
をコンピュータに実行させることを特徴とする情報提供プログラム。
【発明の詳細な説明】
【０００１】
【発明の属する技術分野】
この発明は、デジタルデータを編集する情報提供装置、情報提供方法、および情報提供プログラムに関する。
【０００２】
【従来の技術】
長時間の映像のうちから所望の一部のみを見たいという要望がある。この要望に応えるべく、近年では、所望の部分を容易に検索または頭出しする方法として、インデキシング技術が開発されている。インデキシング技術とは、映像全体を時間軸に沿って複数の部分に分割し、それぞれの部分に対して、検索可能とすべく記述情報を対応付ける技術である。
【０００３】
インデキシング技術としては、スライド等のドキュメントが表示されたタイミングに基づいて、当該ドキュメントに関連する映像を同期させるドキュメント処理方法が知られている。（例えば、特許文献１）
【０００４】
【特許文献１】
特開２００２−２３２８５８号公報（第５−９頁）
【０００５】
【発明が解決しようとする課題】
上記技術によれば、様々なデータを利用者に提供することができる。しかし、デジタルデータに企業情報などの機密文書が含まれている場合もあるため、デジタルデータが第三者に漏洩するのを防ぐための策が必要である。
【０００６】
この発明は上記に鑑みてなされたもので、利用者の希望する情報を効率的に提供すると共に、情報提供における安全性を高く保つことのできる情報提供装置、情報提供方法、および情報提供プログラムを得ることを目的とする。
【０００７】
【課題を解決するための手段】
上記目的を達成するため、請求項１にかかる発明は、デジタルデータに含まれる複数の部分データに対して設定されたセキュリティレベルに応じて、前記デジタルデータのうち各部分データを提供するか否かを判断する提供制御手段と、前記提供制御手段が提供すると判断した前記部分データを含む提供用デジタルデータに編成する再編成手段と、前記再編成手段によって再編成された提供用デジタルデータを提供する提供手段とを備えたことを特徴とする。
【０００８】
この請求項１の発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができる。
【０００９】
また、請求項２にかかる発明は、請求項１に記載の情報提供装置であって、前記デジタルデータを取得するデジタルデータ取得手段と、前記デジタルデータ取得手段が取得した前記デジタルデータの一部である部分データを特定する部分データ特定手段と、前記部分データ特手段により特定された各部分データに対してセキュリティレベルを設定するセキュリティレベル設定手段とをさらに備え、前記提供制御手段は、前記セキュリティレベル設定手段が設定した前記セキュリティレベルに応じて、前記部分データを提供するか否かを判断することを特徴とする。
【００１０】
この請求項２の発明によれば、セキュリティレベル設定手段は、１つのデジタルデータの各部分に対して異なるセキュリティレベルを設定することができるので、デジタルデータの部分毎に利用者への提供を制限することができる。
【００１１】
また、請求項３にかかる発明は請求項２に記載の情報提供装置であって、前記セキュリティレベル設定手段は、前記デジタルデータの各部分データに対して、前記セキュリティレベルを示す情報を付与することを特徴とする。
【００１２】
この請求項３の発明によれば、セキュリティレベル設定手段は、部分データに対して、セキュリティレベルを示す情報を付与するので、部分データを参照することにより、当該部分データのセキュリティレベルを認識することができる。
【００１３】
また、請求項４にかかる発明は、請求項１から３のいずれか一項に記載の情報提供装置であって、前記セキュリティレベルの指定を受け付ける指定受付手段をさらに備え、前記セキュリティレベル設定手段は、前記指定受付手段が受け付けた指定に基づいて、各部分データに対して前記セキュリティレベルを設定することを特徴とする。
【００１４】
この請求項４の発明によれば、指定受付手段からの指定に基づいて、各部分データに対してセキュリティレベルを設定することができるので、利用者の所望のセキュリティレベルを設定することができる。
【００１５】
また、請求項５にかかる発明は、請求項１から４のいずれか一項に記載の情報提供装置であって、前記デジタルデータを提供すべき利用者を識別する利用者識別情報と、各利用者に対して設定された前記セキュリティレベルとを対応付ける利用者テーブルと、前記利用者から前記デジタルデータの提供要求を受け付ける指定受付手段と、前記指定受付手段が前記提供要求を受け付けた場合に、前記利用者テーブルを参照して、要求元の前記利用者に対応付けられている前記セキュリティレベルを特定するセキュリティレベル特定手段とをさらに備え、前記提供制御手段は、提供要求を受け付けた前記デジタルデータのうち、前記セキュリティレベル特定手段が特定した前記セキュリティレベルに対応する部分データの提供を許可することを特徴とする。
【００１６】
この請求項５の発明によれば、各利用者に対して設定されているセキュリティレベルに応じて、当該利用者に対して、部分データを提供するか否かを判断することができるので、不特定の利用者に部分データを提供することがなく、情報の漏洩を避けることができる。
【００１７】
また、請求項６にかかる発明は、請求項５に記載の情報提供装置であって、前記利用者に対する前記セキュリティレベルを設定する設定手段をさらに備え、前記利用者テーブルは、前記設定手段によって設定された前記セキュリティレベルを各利用者識別情報に対応付けることを特徴とする。
【００１８】
この請求項６の発明によれば、設定手段は、各利用者に対するセキュリティレベルを設定することができるので、当該デジタルデータを管理する者は、デジタルデータの提供を予定している各利用者に対して予めセキュリティレベルを設定することにより、各利用者に提供するデジタルデータを制限することができる。
【００１９】
また、請求項７にかかる発明は、請求項１から６のいずれか一項に記載の情報提供装置であって、前記再編成手段は、前記提供制御手段が提供しないと判断した部分データを、当該部分データの内容を利用者が認識不可能な状態に変換し、前記提供手段は、前記部分データが変換された後の前記デジタルデータを提供することを特徴とする。
【００２０】
この請求項７の発明によれば、提供制御手段が提供しないと判断した部分データの内容は、利用者には把握されないので、情報が漏洩するのを避けることができる。
【００２１】
また、請求項８にかかる発明は、請求項１から７のいずれか一項に記載の情報提供装置であって、前記デジタルデータは、少なくとも動画データを含むことを特徴とする。
【００２２】
この請求項８の発明によれば、デジタルデータに、動画データを含ませることもできる。従って、動画データについても、部分データ毎に利用者への提供を制限することができる。なお、ここで、動画データの部分データとは、動画データの時間軸に沿ったある特定の区間に含まれるデータのことである。また、他の例としては、所定のタイミングに画面に表示されるデータのうちの所定の領域内に含まれるデータのことであってもよい。
【００２３】
また、請求項９にかかる発明は、請求項１から８のいずれか一項に記載の情報提供装置であって、前記デジタルデータは、少なくとも音声データを含むことを特徴とする。
【００２４】
この請求項９の発明によれば、デジタルデータに、音声データを含ませることもできる。従って、音声データについても、部分データ毎に利用者への提供を制限することができる。
【００２５】
また、請求項１０にかかる発明は、請求項１から９のいずれか一項に記載の情報提供装置であって、前記デジタルデータは、少なくとも静止画データを含むことを特徴とする。
【００２６】
この請求項１０の発明によれば、デジタルデータに、静止画データを含ませることもできる。従って、静止画データについても、部分データ毎に利用者への提供を制限することができる。
【００２７】
また、請求項１１にかかる発明は、請求項１０に記載の情報提供装置であって、前記再編成手段は、前記提供制御手段が提供しないと判断した部分データにモザイク処理を施し、前記提供手段は、前記モザイク処理された前記部分データを含む前記デジタルデータを提供することを特徴とする。
【００２８】
この請求項１１の発明によれば、デジタルデータのうち、利用者に提供しないと判断された部分データに対してモザイク処理が施されるので、当該利用者に当該部分データの内容を把握されるのを避けることができる。
【００２９】
また、請求項１２にかかる発明は、請求項１から７のいずれか一項に記載の情報提供装置であって、前記デジタルデータは、少なくとも動画データ、音声データ、および静止画データのうちいずれか２つを含み、前記セキュリティレベル設定手段は、各データ毎に前記セキュリティレベルを設定することを特徴とする。
【００３０】
この請求項１２の発明によれば、デジタルデータに、動画データ、音声データ、および静止画データのうちいずれか２つを含ませ、各データ毎にセキュリティレベルを設定することもできる。従って、各データ毎に利用者への提供を制限することができる。
【００３１】
また、請求項１３にかかる発明は、デジタルデータに含まれる複数の部分データに対して設定されたセキュリティレベルに応じて、前記デジタルデータのうち各部分データを提供するか否かを判断する提供制御ステップと、前記提供制御ステップにおいて提供すると判断した前記部分データを含む提供用デジタルデータに編成する再編成ステップと、前記再編成ステップにおいて再編成された提供用デジタルデータを提供する提供ステップとを有することを特徴とする。
【００３２】
この請求項１３の発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができる。
【００３３】
また、請求項１４にかかる発明は、情報提供方法をコンピュータに実行させる情報提供プログラムであって、デジタルデータに含まれる複数の部分データに対して設定されたセキュリティレベルに応じて、前記デジタルデータのうち各部分データを提供するか否かを判断する提供制御ステップと、前記提供制御ステップにおいて提供すると判断した前記部分データを含む提供用デジタルデータに編成する再編成ステップと、前記再編成ステップにおいて再編成された提供用デジタルデータを提供する提供ステップとをコンピュータに実行させることを特徴とする。
【００３４】
この請求項１４の発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができる。
【００３５】
【発明の実施の形態】
以下に添付図面を参照して、この発明にかかる情報編集装置、情報編集方法、および情報編集プログラムの好適な実施の形態を詳細に説明する。
【００３６】
図１は、この発明の実施の形態である情報提供装置５を含む情報提供システム１の全体構成を示している。
【００３７】
情報提供システム１は、プレゼンテーション資料３１を格納するプレゼンテーション装置２と、このプレゼンテーション装置２と接続し、プレゼンテーション資料３１を表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画情報（以下単に「動画情報」と称す）を編集し、編集後の動画情報を利用者に提供する情報提供装置５とを備えている。なお、ここで、動画情報は、本発明のデジタルデータに相当する。
【００３８】
ＤＶカメラ４と情報提供装置５は、例えば、ＩＥＥＥ１３９４などのインターフェイスで接続されている。また、プレゼンテーション装置２と情報提供装置５は、ＩＥＥＥ８０２．１１ｂなどの通信インターフェイスで接続されている。無線通信環境がない場合は、通常のイーサネット（Ｒ）によるピア・ツー・ピア接続であってもよい。
【００３９】
プレゼンテーション装置２は、単にプレゼンテーション資料３１を格納しており、投影機３と通信可能であればよく、例えば、プレゼンターの所有するＰＣであってもよい。
【００４０】
編集者は、プレゼンターがプレゼンテーション資料３１を表示画面３０に表示させながらプレゼンテーションを行っている様子を、ＤＶカメラ４を用いて撮影する。ここで、編集者とは、情報提供システム１を利用して動画を編集する者のことである。
【００４１】
撮影が終了すると、情報提供装置５は、プレゼンテーション装置２からプレゼンテーション資料３１を取得し、さらに、ＤＶカメラ４からプレゼンテーションの様子を示す動画情報を取得する。そして、情報提供装置５は、動画情報を編集する。すなわち、動画情報にプレゼンテーション資料３１を対応付けた情報ファイルを生成する。そして、利用者からの要求に応じて情報ファイルを提供する。なお、本実施の形態に特徴的な、情報提供装置５におけるセキュリティ管理処理については後述する。
【００４２】
図２は、本実施の形態にかかる情報提供システム１に特徴的な処理を行う情報提供装置５の情報編集部３５と、プレゼンテーション装置２のイベント処理部３２の機能構成を示すブロック図である。
【００４３】
イベント処理部３２は、プレゼンテーション装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、イベント情報およびプレゼンテーション資料３１を情報提供装置５に送信する送信部４４とを有している。
【００４４】
また、情報処編集部３５は、送信部４４からイベント情報およびプレゼンテーション資料３１を受け取る受信部３６と、受信部３６が受け取ったイベント情報を制御するイベント情報制御部３７と、イベント情報を記録するイベント記録部３８と、イベント記録部３８からイベント情報を取得し、イベント情報の内容を解釈するイベント情報解釈部４２と、イベント情報解釈部４２によって解釈されたイベント情報に基づいて動画情報を編集し、情報ファイルを生成する情報ファイル生成部４３と、利用者等からの指示を受け付ける指示受付部５４と、情報ファイル生成部４３が生成した情報ファイルに対してセキュリティレベルを設定し、情報ファイルＤＢ５２に格納するセキュリティ管理部５３と、情報ファイルを外部に送信する通信部５０と、ＤＶカメラ４が取り込んだ動画情報をキャプチャする動画情報キャプチャ部４０と、動画情報を管理する動画情報管理部４１と、ＤＶカメラ４を制御する撮影機器制御部３９とを有している。
【００４５】
ここで、図３を参照しつつ、プレゼンテーション資料３１について説明する。プレゼンテーション資料３１は、プレゼンテーションの際に表示画面３０に表示すべき画面画像３１０，３１２，３１４，３１６，３１８，３２０を含んでいる。各画面画像３１０，３１２，３１４，３１６，３１８，３２０には、ページ番号が対応付けられており、ページ番号順に表示される。すなわち、プレゼンテーション資料３１を構成する画面画像は、当該プレゼンテーション資料３１の作成者が定めた順番に配列されている。図３に示すプレゼンテーション資料３１は、６ページ分の画面画像を含んでいる。これらは、プレゼンターからの指示により、１ページ、２ページ、・・・とページ順に表示される。なお、本実施の形態におけるプレゼンテーション資料３１は、Ｍｉｃｒｏｓｏｆｔ（Ｒ）社製のＰｏｗｅｒ  Ｐｏｉｎｔ（Ｒ）のファイルである。
【００４６】
通常、プレゼンテーションにおいて、プレゼンターは、以下の操作を行う。
１．プレゼンテーション装置２の起動
２．プレゼンテーション・ソフトの起動
３．発表の開始
４．キーボード２１又はマウス１５の操作による、プレゼンテーション資料３１のページめくり
５．発表の終了
６．プレゼンテーション・ソフトの終了
７．プレゼンテーション装置２の終了
【００４７】
ここで、ページめくりとは、表示画面３０に表示させる、プレゼンテーション資料３１を１ページから次のページすなわち２ページに切り替えることである。
【００４８】
以上の操作は、いずれもマウス１５またはキーボード２１における所定の操作に対応付けられている。例えば、プレゼンテーション装置２の表示画面に表示されたプレゼンテーション・ソフトのアイコンをマウス１５によりクリックする操作は、プレゼンテーション・ソフトの起動というイベントに対応付けられている。
【００４９】
イベント記録部３４は、このイベント情報のログを記録し、送信部４４は通信インターフェイスを介して情報編集部３５に送信する。
【００５０】
撮影機器制御部３９は、イベント情報に基づいてＤＶカメラ４を制御する。イベント記録部３８は、イベント処理部３２から受信したイベント情報のみならず、ＤＶカメラ４の制御のイベント情報も記録する。
【００５１】
例えば、プレゼンテーション・ソフトの起動というイベントが発生したときは、このイベント情報をイベント記録部３８で記録する。さらに、撮影機器制御部３９により、ＤＶカメラ４からの動画情報取り込みを開始する。プレゼンテーション・ソフトが終了したときは、撮影機器制御部３９は、ＤＶカメラ４からの動画情報の取り込みを終了する。そして、イベント情報制御部３７は、プレゼンテーション・ソフトの終了をイベントとするイベント情報をイベント記録部３８に記録する。
【００５２】
イベント情報解釈部４２は、イベント情報の内容を解釈する。そして、情報ファイル生成部４３は、イベント情報解釈部４２によって解釈されたイベント情報の内容を参照し、プレゼンテーション資料３１及び動画情報に基づいて情報ファイルを生成する。
【００５３】
このように、情報編集部３５は、ＤＶカメラ４から取り込んだ動画情報中のイベントのイベント情報を動画情報とともに管理することができる。つまり、ＤＶカメラ４で撮影され取り込まれた動画情報は、時間の推移を規定する時間情報を付されて保存される。また、記録されたイベント情報は、情報ファイル生成部４３により、プレゼンテーション資料３１とマージされ、内容記述言語（ＭＰＥＧ−７など）により管理される。
【００５４】
セキュリティ管理部５３は、情報ファイル生成部４３が生成した情報ファイルを構成する複数の部分データそれぞれに対してセキュリティレベルを設定し、情報ファイルＤＢ５２に格納する、ｑ５３はまた、セキュリティレベルに応じて、利用者に提供すべき提供用情報ファイルを編成する。ここで、提供用情報ファイルとは、本発明にかかる提供用デジタルデータに相当する。
【００５５】
通信部５０は、セキュリティレベル管理部５３が編成した提供用情報を、ネットワークを介して外部に送信する。すなわち、利用者に提供する。
【００５６】
図４は、イベント情報リスト３４０のデータ構成を模式的に示している。イベント情報リスト３４０には、イベント情報３４１，３４２，３４３・・・が、各イベントの発生した順番に配列されている。イベント情報には、発生したイベントの種類およびイベントが発生した日時が含まれている。例えばページ２が表示されると、「ページ２に切り替え」というイベント情報が記録される。これにより、各ページの表示を開始した表示開始時刻および表示を終了した終了時刻を認識することができる。
【００５７】
図５は、図２において説明した、情報ファイル生成部４３の詳細な機能構成を示す機能ブロック図である。情報ファイル生成部４３は、区間決定部４３０と、区間調整部４３１と、同期部４３３と、目次項目抽出部４３４と、対応付部４３５と、同期調整部４３６と、目次項目抽出部４３７とを有する。
【００５８】
区間決定部４３０は、ＤＶカメラ４から取得した動画情報６００を、プレゼンテーション装置２から取得したイベント情報７００に基づいて、複数の区間に分割する。具体的には、区間決定部４３０は、ページめくりを示すイベント情報が示す時刻に録画されたフレーム位置を動画情報の区間の境界位置として決定する。すなわち、一のページが表示されている区間は、同一区間となり、ページが切り替わるタイミングが、区間の境界に対応する。
【００５９】
区間調整部４３１は、区間決定部４３０が分割した区間の長さを調整する。具体的には、区間決定部４３０により決定された区間の長さが、予め定められた規定長に比べて短い場合に、この規定長よりも短い区間、すなわち規定長外区間を、当該規定長区間の直前または直後の区間に統合する。ここで、規定長は、変更可能である。例えば、指示受付部５４を介して編集者等から指定された長さに定められてもよい。
【００６０】
同期部４３３は、イベント情報に基づいて、動画情報６００とプレゼンテーション資料３１との同期を取る。すなわち、動画情報６００の各区間を表示させるときに同時に表示させるべきプレゼンテーション資料３１の一のページを、各区間に対応付ける。
【００６１】
同期調整部４３６は、動画情報６００の規定外区間に対して、同期部４３３が同期させたプレゼンテーション資料３１のページにかえて、規定外区間の統合先の区間に同期されたページを同期させる。
【００６２】
目次項目抽出部４３４は、プレゼンテーション資料３１から、動画情報６００の目次の項目となるべき文字情報を抽出する。対応付部４３５は、目次項目抽出部４３４が抽出した目次項目を、当該目次項目の抽出元である、プレゼンテーション資料３１の各ページに対応付ける。目次項目抽出部４３７は、目次項目抽出部４３４が抽出した目次項目を削除する。
【００６３】
図６は、情報編集部３５が生成した情報ファイルを示している。情報ファイルは、動画情報６００と、動画情報６００の各区間６１０に対応付けられた複数の画面画像３１０，３１２・・・を有している。なお、動画情報６００の各区間６１０は、複数のフレーム６２０を含んでいる。各区間６１０の長さは、イベント情報により決定される。このように、動画情報６００は、プレゼンテーション資料３１の各画面画像３１０，３１２・・・と対応付けられているので、動画情報６００とプレゼンテーション資料３１の各画面画像３１０，３１２・・・とを同期して表示させることができる。
【００６４】
図７は、通信部５０から送信された情報ファイルを示している。図７に示す表示部５００には、動画情報６００と、プレゼンテーション資料３１のうち、表示部５００に表示されている区間に同期されたページ３３０と、動画情報６００の目次８００とが表示されている。なお、目次８００と動画情報６００とはリンクしており、例えば、目次８００中の「テーマ１：製造業の空洞化」という項目が選択されると、そのとき表示されている動画の区間にかかわらず、動画情報６００の区間１が再生される。なお、区間１とは、映像中に含まれる表示画面３０にテーマ１が表示されている区間である。このように、目次を選択することにより、利用者の所望の区間を表示させることができる。
【００６５】
なお、本実施の形態においては、情報ファイル生成部４３は、ＳＭＩＬ（Ｓｙｎｃｈｒｏｎｉ情報提供装置ｅｄ  Ｍｕｌｔｉｍｅｄｉａ  Ｉｎｔｅｇｒａｔｉｏｎ  Ｌａｎｇｕａｇｅ）を利用して情報ファイルを生成する。ここで、ＳＭＩＬとは、動画、静止画、音声、音楽、文字など様々な形式のデータの再生を制御して同期させる言語のことであり、ＸＭＬで記述されている。ＳＭＩＬを用いることにより、表示画面における表示位置、表示させるタイミング、表示させる時間などを指定することができる。
【００６６】
図８は、図２において説明したセキュリティ管理部５３の詳細な機能構成を示すブロック図である。セキュリティ管理部５３は、部分データ特定部５３１と、セキュリティレベル設定部５３２と、セキュリティレベル特定部５３３と、利用者テーブル５３４と、提供制御部５３５と、再編成部５３６とを有している。
【００６７】
部分データ特定部５３１は、情報ファイル生成部４３により生成された情報ファイルの一部を部分データとして特定する。具体的には、指定受付部５４を介して、編集者からの指示を受け付け、指示に従って、部分データを特定する。
【００６８】
セキュリティレベル設定部５３２は、部分データ特定部５３１によって特定された部分データに対して、セキュリティレベルを設定する。具体的には、指定受付部５４を介して、編集者からの指示を受け付け、指示に従って、セキュリティレベルを設定する。
【００６９】
利用者テーブル５３４は、情報ファイルを提供すべき利用者を識別する用者識別情報と、各利用者に対して設定されたセキュリティレベルとを対応付けている。セキュリティレベル特定部５３３は、通信部５０を介して、利用者から情報ファイルの提供要求を取得した場合に、利用者テーブル５３４において、要求元の利用者に対応付けられているセキュリティレベルを特定する。すなわち、ここで、通信部５０は、本発明の、指定受付手段に相当する。ただし、他の例としては、提供要求を指定受付部５４を介して、利用者から取得してもよい。
【００７０】
なお、編集者は、指定受付部５４を介して、各利用者に対してセキュリティレベルを設定する。利用者テーブル５３４は、編集者から設定されたセキュリティレベルを保持する。なお、セキュリティレベルは、各利用者との契約等により定めてもよい。ここで、指定受付部５４は、本発明の設定手段を構成する。
【００７１】
提供制御部５３５は、提供要求にかかる情報ファイルのうち、セキュリティレベル特定部５３３が特定したセキュリティレベルに対応する部分データの提供を許可する。再編成部５３６は、提供要求にかかる情報ファイルのうち、提供制御部５３５が提供を許可した部分データを含む提供用情報ファイルを生成する。すなわち、情報ファイルを再編成する。
【００７２】
次に、図９を参照しつつ、情報編集部３５が情報ファイルを作成するときの情報編集処理について説明する。まず、区間決定部４３０は、ＤＶカメラ４から取得した動画情報６００を、プレゼンテーション装置２から取得したイベント情報７００に基づいて複数の区間に分割する（ステップＳ１００）。具体的には、「発生日時１０時１０分、イベント種類ページ２に切り替え」及び「発生日時１０時１６分、イベント種類ページ３に切り替え」を示す連続して記録された２つのイベント情報を取得した場合には、動画情報６００のうち１０時１０分から１０時１６分の間に録画された区間はページ２に対応する区間と決定される。すなわち、１０時１０分および１０時１６分の位置を境界位置とする区間に分割する。
【００７３】
次に、区間調整部４３１は、区間決定部４３０によって決定された各区間の長さを、予め定められた規定長と比較する。そして、規定長に比べて短い区間、すなわち規定長外区間があった場合（ステップＳ１０２，Ｙｅｓ）、規定長外区間を調整する（ステップＳ１０４）。
【００７４】
ここで、図１０を参照しつつ、区間調整部４３１が規定長外区間を調整する方法について説明する。図１０は、動画情報６００を時間軸に沿って模式的に示している。例えば、「テーマ１」の区間は、動画情報６００のうち、動画情報６００に映像として含まれている表示画面３０に「テーマ１」の表題のページ、すなわち１ページが表示されている区間を示している。このように、各区間は、表示画面３０に表示された画面画像の切り替りを境界として定められている。
【００７５】
また、ｔ１は、「テーマ１」に対応する区間を再生するのに要する再生時間である。すなわち、ｔ１は、テーマ１のページであるページ１の表示終了時刻と開始時刻の差分値である。ここで、先に述べた規定長は、ｔｓで示される。すなわち、規定長は再生時間の単位で定められている。
【００７６】
区間の長さｔｘ（ｘ＝１〜６）の各々について規定長ｔｓと比較し、規定長ｔｓに比べて短い区間は、規定長ｔｓよりも長い他の区間に統合する。例えば、図１０（Ａ）に示す「テーマ４」を表示する区間の長さｔ４および「テーマ５」の区間の長さｔ５は規定長に比べて短い。従って、「テーマ４」の区間および「テーマ５」の区間は、規定外区間と判断される。この場合、図１０（Ｂ）に示すように、規定外区間は、その直後の区間に統合される。すなわち、「テーマ５」の区間は、「テーマ６」の区間に統合される。また、「テーマ４」の直後の区間、すなわち「テーマ５」の区間は規定外区間であるので、「テーマ４」の区間は、さらにその直後の区間、すなわち「テーマ６」の区間に統合される。すなわち、「テーマ４」の区間、「テーマ５」の区間、および「テーマ６」の区間が１つの区間に統合され、いずれも区間４に含まれることになる。
【００７７】
プレゼンテーションにおいては、時間の都合上、途中のページの説明を省略する場合がある。図１０の「テーマ４」の区間および「テーマ５」の区間ように、その表示時間が短い場合、これらの画面画像は「テーマ６」を表示させるため表示されたに過ぎず、画面画像に対する説明は省略されていると推測される。このように、説明の対象となっていないと予想される、表示時間の短い画面画像に対応する区間を省略することで、より見やすい情報に編集することができる。
【００７８】
プレゼンテーション資料３１の途中の画面画像の説明を省略する場合、省略する画面画像を表示させている間、プレゼンターは、次に説明する画面画像に関する内容を意識している場合が多い。このため、表示画面３０に省略された画面画像が表示されている間は、その次に説明の対象となるページにおいて説明すべき事項に関連する説明をしていると予想される。また、実際のプレゼンテーションにおいても、このようなケースが多い。そこで、本実施の形態においては、規定外区間は、便宜的にその直後の区間に含めることにした。これにより、内容的に統一された区間を１つの区間とすることができる。
【００７９】
説明を図９に戻す。動画情報が複数の区間に分割されると、次に、同期部４３３は、イベント情報７００に基づいて、動画情報６００とプレゼンテーション資料３１とを同期させる（ステップＳ１０６）。
【００８０】
ここで、図１１を参照しつつ同期調整部４３６が同期を調整する方法について説明する。図１１に示すように、動画情報６００の各区間と、当該区間と同時に表示すべきプレゼンテーション資料３１の各ページは同期している。規定外区間である「テーマ４」の区間および「テーマ５」の区間には、それぞれプレゼンテーション資料３１のうち「テーマ４」を示す４ページと５ページが同期している。この場合、同期調整部４３６は、「テーマ４」の区間および「テーマ５」の区間を含む区間４全体に対してプレゼンテーション資料３１の６ページを同期させる。すなわち、同期調整部４３６は、「テーマ４」の区間に対して、４ページにかえて６ページを同期させ、かつ「テーマ５」の区間に対して、５ページにかえて６ページを同期させる。
【００８１】
規定外区間において表示画面３０に表示される画面画像は、該当するページにおいて、その説明が省略されており、表示させる必要がない場合が多い。また、先に説明したように、これらの画面画像を表示しているとき、プレゼンターはその後に表示する画面画像に関する内容について説明している場合が多い。このため、同期部４３３によって同期された画面画像を同期させるよりも、その後に表示するページを同期したほうが、利用者は内容を理解しやすい。
【００８２】
再び、図９を参照しつつ情報編集処理について説明する。同期調整が完了すると、次に、目次項目抽出部４３４が抽出した目次項目を含む目次を生成する（ステップＳ１２０）。そして、さらにセキュリティ管理部５３の各部によりセキュリティコードが付与されて（ステップＳ１３０）、情報編集処理が完了する。
【００８３】
次に、図１２を参照しつつ、図９における目次生成処理（ステップＳ１２０）における情報ファイル生成部４３の詳細な処理について説明する。
【００８４】
まず、目次項目抽出部４３４は、プレゼンテーション資料３１から動画情報６００の目次として文字情報を抽出する（ステップＳ１０８）。具体的には、プレゼンテーション資料３１の各画面画像は、タイトル属性が付与された文字情報を含んでおり、目次項目抽出部４３４は、タイトル属性に対応付けられた文字情報を抽出する。目次項目抽出部４３４は、プレゼンテーション資料３１に含まれるすべてのページの画面画像から文字情報を抽出する。なお、本実施の形態においては、各画面画像における「テーマ・・・」という文字情報が、タイトル属性として記述されている。
【００８５】
次に、目次項目抽出部４３４は、抽出いた目次項目を含む目次を生成する（ステップＳ１０９）。次に、対応付部４３５は、目次項目抽出部４３４が抽出した文字情報、すなわち目次項目を、当該目次項目を抽出した画面画像に対応付ける（ステップＳ１１０）。画面画像は、動画情報６００の各区間に対応付けられている。従って、各目次項目は、画面画像を介して動画情報６００の各区間に対応付けられる。
【００８６】
ステップＳ１０２，ステップＳ１０４において、区間を統合した場合には（ステップＳ１１２，Ｙｅｓ）、同期調整部４３６は、動画情報６００とプレゼンテーション資料３１の同期を調整する（ステップＳ１１４）。そして、目次項目抽出部４３７は規定外区間に対応する目次項目を削除する。以上で、目次生成処理が完了する。
【００８７】
図１３は、図１２を参照しつつ説明した目次生成処理により、図１１に示す動画情報６００から生成された目次項目を示している。図１３（Ａ）は削除前の目次項目を示している。図１３（Ｂ）は削除後の目次項目を示している。図１１に示したに、規定外区間である「テーマ４」の区間および「テーマ５」の区間は、いずれも「テーマ６」の区間に統合されている。そこで、これら３つの区間を含む区間４に対しては、統合先の区間に同期するページ６のページ属性を目次項目として抽出する。これにより、目次項目が無駄に多くなるのを避けることができる。
【００８８】
ここで、プレゼンテーションにおいて、本来表示すべき順番と逆の順番でプレゼンテーション資料３１の画面画像が表示された場合の情報編集部３５の処理について、図１４を参照しつつ説明する。図１４に示す動画情報６１０には、プレゼンテーション資料３１のページ順と逆の順番にページが表示される部分が含まれている。すなわち、動画情報に含まれる表示画面３０は、「テーマ５」を表示したのちに、再度「テーマ４」の画面画像、「テーマ３」の画面画像、および「テーマ２」の画面画像の順に表示している。
【００８９】
なお、情報編集装置３５は、ページの切り替えをイベント種類として含むイベント情報に基づいて、ページ順と逆の順番に表示されていることを認識することができる。
【００９０】
プレゼンテーションにおいては、既に説明した内容を、再び関連する画面画像を再度表示させて説明する場合がある。このような場合には、プレゼンターは、ユーザインターフェースを用いて操作することにより。図１３に示すように順にページを戻していく。この場合も情報編集部３５は、図８から図１２を参照しつつ説明した情報編集処理によって、規定長外区間を、当該規定長外区間の直後の区間に統合する。具体的には、図１３に示すテーマ５の区間に続いて順に表示されるテーマ４の区間およびテーマ３の区間が規定外区間である場合には、「テーマ４」の区間および「テーマ３」の区間を「テーマ２」の区間に統合する。
【００９１】
その一方で、ページ順に「テーマ１」の区間から「テーマ５」の区間の間に含まれる規定外区間である「テーマ４」の区間に対しては、直後の区間に含める処理を行わない。このように、一旦表示させたページを、再度ページを遡って表示させる場合に限り直後の区間に統合することとしてもよい。
【００９２】
ページ順にプレゼンテーション資料３１を表示させているときは、各ページについての説明を省略していても、聴講者の理解のためには画面画像の表示は残したほうがよい場合もある。このような場合には、本例のように、逆順にページが切り替る場合のみ規定外区間を統合することにより、より理解しやすい情報にすることができる。
【００９３】
逆順にページが切り替る場合は、それ以前に既に、省略されたページについての説明がなされている場合が多い。従って、逆順にページが切り替る区間内の規定外区間を統合することにより、より適切な目次を生成することができる。
【００９４】
次に、図１５を参照しつつ、図９において説明したセキュリティコード付与処理におけるセキュリティ管理部５３の詳細な処理について説明する。
【００９５】
まず、利用者から指定された情報ファイルから部分データ特定部５３１は、指定受付部５４からの指示に基づいて、部分データを特定する（ステップＳ１３２）。次に、セキュリティレベル設定部５３２は、セキュリティレベルを設定し（ステップＳ１３３）、設定したセキュリティレベルをセキュリティコードとして部分データに付与する（ステップＳ１３４）。デジタルデータに対するすべての部分データに対して、以上の処理が完了すると（ステップＳ１３５，Ｙｅｓ）、セキュリティコード付与処理は完了する。
【００９６】
図１６は、セキュリティ管理部５３によってセキュリティコードが付与された情報ファイルを示している。図１６に示す情報ファイルにおいては、動画情報６００の各区間、および各区間に対応付けられている画面画像３１０がそれぞれ一つの部分データとなっている。そして、各部分データに対して、セキュリティコード７００が付与されている。図１６に示す情報ファイルにおいては、プレゼンテーションの導入部分については、比較的低いセキュリティレベルに対応するセキュリティコード「Ｃ」が付与されており、また本論部分については、比較的高いセキュリティレベルに対応するセキュリティコード「Ａ」が付与されている。
【００９７】
例えば、セキュリティコード「Ｂ」に対応するセキュリティレベルが設定されている利用者に対して提供することができるのは、セキュリティレベル「Ｂ」および「Ｃ」が付与された情報であって、セキュリティレベル「Ａ」が付与された情報の提供は許可されない。
【００９８】
このように、セキュリティレベルに応じて、利用者への提供を制御できるので、利用者への提供を制限したい場合には、制限の程度に応じたセキュリティレベルを設定すればよい。
【００９９】
なお、本実施の形態においては、各区間毎にセキュリティレベルを設定しているが、セキュリティレベルを設定するための部分データの単位は任意であって、本実施の形態に限定されるものではない。例えば、本実施の形態においては、各区間に含まれる動画データと、各区間に対応する静止画データに対してそれぞれ別個にセキュリティレベルを設定したが、区間に対応する動画データと静止画データに対しては、同一のセキュリティレベルを設定することとしてもよい。
【０１００】
また、他の例としては、各区間をさらに細かい部分に分割し、分割後の各部分データ毎にセキュリティレベルを設定してもよい。
【０１０１】
図１７は、利用者から情報ファイルの提供要求を受信した場合の情報ファイル提供処理を示すフローチャートである。ネットワークを介して、利用者から所定の情報ファイルを要求する提供要求を受信すると（ステップＳ２００，Ｙｅｓ）、セキュリティレベル特定部５３３は、提供要求から利用者ＩＤを特定する（ステップＳ２０２）。
【０１０２】
さらにセキュリティレベル特定部５３３は、利用者テーブル５３４を参照し、当該利用者に対応付けられているセキュリティレベルを特定する（ステップＳ２０４）。次に、提供制御部５３５は、セキュリティレベル特定部５３３が特定したセキュリティレベル以下のセキュリティレベルに対応する部分データのみの提供を許可する（ステップＳ２０６）。次に再編成部５３６は、提供制御部５３５により許可された部分データから提供用の情報ファイルを再編成する（ステップＳ２０８）。次に、通信部５０は、再編成部５３６から受け取った提供用の情報ファイルをネットワークを介して利用者に提供する（ステップＳ２１０）。以上で、情報ファイル提供処理が完了する。
【０１０３】
図１８は、実施の形態にかかる情報提供装置５のハードウェア構成を示す図である。情報提供装置５は、図２および図５を参照しつつ説明した、情報編集部３５の情報編集プログラムなどが格納されているＲＯＭ５２、ＲＯＭ５２内のプログラムに従って情報提供装置５の各部を制御し、情報提供処理等を実行するＣＰＵ５１、ワークエリアが形成され、情報提供装置５の制御に必要な種々のデータが記憶されているＲＡＭ５３、ネットワークに接続して、通信を行う通信Ｉ／Ｆ５７、および各部を接続するバス６２を備えている。
【０１０４】
先に述べた情報提供装置５における情報提供処理を実行する情報提供プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【０１０５】
また、本実施形態の情報提供プログラムを、インターネット等のネットワークに接続されたコンピュータ上に格納し、ネットワーク経由でダウンロードさせることにより提供するように構成しても良い。
【０１０６】
この場合には、情報提供プログラムは、情報提供装置５において上記記録媒体から読み出して実行することにより主記憶装置上にロードされ、上記ソフトウェア構成で説明した各部が主記憶装置上に生成されるようになっている。
【０１０７】
また、プレゼンテーション装置２のハードウェア構成は、図１８を参照しつつ説明した情報提供装置５のハードウェア構成と同様であるので、説明を省略する。
【０１０８】
以上、実施の形態にかかる情報提供システム１について説明したが、上記実施の形態に多様な変更または改良を加えることができる。
【０１０９】
そうした第１の変更例としては、本実施の形態においては、再編成部５３６は、提供制御部５３５が許可した部分データのみを含む提供用情報ファイルを生成し、この編成後の提供用情報ファイルを利用者に提供したが、他の例としては、対象となる情報ファイルのうち、提供制御部５３５が許可した部分データ以外の部分に含まれる静止画データについては、モザイク処理などにより、利用者が認識できない状態に処理し、処理後の情報ファイルを提供してもよい。この場合も、許可した部分データが以外の部分に含まれる内容を、提要を予定していない利用者に把握されるのをさけることができる。
【０１１０】
以上のように、提供制御部５３５が許可した部分データ以外の部分に含まれる内容を利用者が把握できないようにすればよく、当該部分を削除する、当該部分をモザイク処理する等は、その一例に過ぎない。従って、提供を許可された部分データ以外の部分に対して施す処理は本実施の形態に限定されるものではない。
【０１１１】
第２の変更例としては、本実施の形態においては、情報ファイルは、音声データ、動画データ、および静止画データを含んでいたが、他の例としては、静止画データのみで構成されていても良い。この場合には、静止画データに含まれる、複数のページを部分データとして本実施の形態において説明した処理を行ってもよい。また、他の例としては、同一ページ内の所定の領域を部分データとしてもよい。この場合も同様に、本実施の形態において説明した処理を行う。
【０１１２】
【発明の効果】
以上説明したように、請求項１にかかる発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができるという効果を奏する。
【０１１３】
また、請求項２にかかる発明によれば、セキュリティレベル設定手段は、１つのデジタルデータの各部分に対して異なるセキュリティレベルを設定することができるので、デジタルデータの部分毎に利用者への提供を制限することができるという効果を奏する。
【０１１４】
また、請求項３にかかる発明によれば、セキュリティレベル設定手段は、部分データに対して、セキュリティレベルを示す情報を付与するので、部分データを参照することにより、当該部分データのセキュリティレベルを認識することができるという効果を奏する。
【０１１５】
また、請求項４にかかる発明によれば、指定受付手段からの指定に基づいて、各部分データに対してセキュリティレベルを設定することができるので、利用者の所望のセキュリティレベルを設定することができるという効果を奏する。
【０１１６】
また、請求項５にかかる発明によれば、各利用者に対して設定されているセキュリティレベルに応じて、当該利用者に対して、部分データを提供するか否かを判断することができるので、不特定の利用者に部分データを提供することがなく、情報の漏洩を避けることができるという効果を奏する。
【０１１７】
また、請求項６にかかる発明によれば、設定手段は、各利用者に対するセキュリティレベルを設定することができるので、当該デジタルデータを管理する者は、デジタルデータの提供を予定している各利用者に対して予めセキュリティレベルを設定することにより、各利用者に提供するデジタルデータを制限することができるという効果を奏する。
【０１１８】
また、請求項７にかかる発明によれば、提供制御手段が提供しないと判断した部分データの内容は、利用者には把握されないので、情報が漏洩するのを避けることができるという効果を奏する。
【０１１９】
また、請求項８にかかる発明によれば、デジタルデータに、動画データを含ませることもできる。従って、動画データについても、部分データ毎に利用者への提供を制限することができる。なお、ここで、動画データの部分データとは、動画データの時間軸に沿ったある特定の区間に含まれるデータのことである。また、他の例としては、所定のタイミングに画面に表示されるデータのうちの所定の領域内に含まれるデータのことであってもよいという効果を奏する。
【０１２０】
また、請求項９にかかる発明によれば、デジタルデータに、音声データを含ませることもできる。従って、音声データについても、部分データ毎に利用者への提供を制限することができるという効果を奏する。
【０１２１】
また、請求項１０にかかる発明によれば、デジタルデータに、静止画データを含ませることもできる。従って、静止画データについても、部分データ毎に利用者への提供を制限することができるという効果を奏する。
【０１２２】
また、請求項１１にかかる発明によれば、デジタルデータのうち、利用者に提供しないと判断された部分データに対してモザイク処理が施されるので、当該利用者に当該部分データの内容を把握されるのを避けることができるという効果を奏する。
【０１２３】
また、請求項１２にかかる発明によれば、デジタルデータに、動画データ、音声データ、および静止画データのうちいずれか２つを含ませ、各データ毎にセキュリティレベルを設定することもできる。従って、各データ毎に利用者への提供を制限することができるという効果を奏する。
【０１２４】
また、請求項１３にかかる発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができるという効果を奏する。
【０１２５】
また、請求項１４にかかる発明によれば、デジタルデータに含まれる部分データに対してそれぞれ異なるセキュリティレベルが設定されている場合には、設定されたセキュリティレベルに応じて各部分データ毎に利用者への提供を制限することができる。これにより、１つのデジタルデータに比較的重要な部分、または秘密文書として扱うべき部分が含まれている場合には、これらの部分以外の部分のみを利用者に提供することができる。これにより、提供を予定していない第三者に対して、情報が漏洩するのを避けることができるという効果を奏する。
【図面の簡単な説明】
【図１】情報提供システム１の全体構成を示す図である。
【図２】情報提供装置５の情報編集部３５と、プレゼンテーション装置２のイベント処理部３２の機能構成を示すブロック図である。
【図３】プレゼンテーション資料３１を模式的に示す図である。
【図４】イベント情報リスト３４０のデータ構成を模式的に示す図である。
【図５】情報ファイル生成部４３の詳細な機能構成を示す機能ブロック図である。
【図６】情報編集部３５が生成した情報ファイルを示す図である。
【図７】通信部５０から送信された情報ファイルを示す図である。
【図８】セキュリティ管理部５３の詳細な機能構成を示す機能ブロック図である。
【図９】情報編集部３５が情報ファイルを作成するときの情報編集処理を示すフローチャートである。
【図１０】動画情報６００を時間軸に沿って模式的に示す図である。
【図１１】同期調整部４３６による同期の調整方法を説明するための図である。
【図１２】図９における目次生成処理における情報ファイル生成部４３の詳細な処理を示すフローチャートである。
【図１３】図１１に示す動画情報６００の目次を示す図である。
【図１４】動画情報６１０を示す図である。
【図１５】図９において説明したセキュリティコード付与処理におけるセキュリティ管理部５３の詳細な処理を示すフローチャートである。
【図１６】セキュリティ管理部５３によってセキュリティコードが付与された情報ファイルを示す図である。
【図１７】利用者から情報ファイルの提供要求を受信した場合の情報ファイル提供処理を示すフローチャートである。
【図１８】情報提供装置５のハードウェア構成を示す図である。
【符号の説明】
１  情報編集システム
２  プレゼンテーション装置
３  投影機
４  ＤＶカメラ
５  情報編集装置
１５  マウス
２１  キーボード
３０  表示画面
３１  プレゼンテーション資料
３２  イベント処理部
３３  イベントキャプチャ部
３４  イベント記録部
３４  投影機
３５  情報処理部
３６  受信部
３７  イベント情報制御部
３８  イベント記録部
３９  撮影機器制御部
４０  動画情報キャプチャ部
４１  動画情報管理部
４２  イベント情報解釈部
４３  情報ファイル生成部
４４  送信部
５０  通信部
５２  情報ファイルデータベース
５３  セキュリティ管理部
５４  指定受付部
６２  バス
３１０，３１２，３１４，３１６，３１８，３２０  画面画像
３４０  イベント情報リスト
３４１，３４２，３４３  イベント情報
４３０  区間決定部
４３１  区間調整部
４３３  同期部
４３４  目次項目抽出部
４３５  対応付部
４３６  同期調整部
４３７  目次項目削除部
５００  表示部
５３１  部分データ特定部
５３２  セキュリティレベル設定部
５３３  セキュリティレベル特定部
５３４  利用者テーブル
５３５  提供制御部
５３６  再編成部
６００，６１０  動画情報
【図１】
2004287525.tif 000003
【図２】
2004287525.tif 000004
【図３】
2004287525.tif 000005
【図４】
2004287525.tif 000006
【図５】
2004287525.tif 000007
【図６】
2004287525.tif 000008
【図７】
2004287525.tif 000009
【図８】
2004287525.tif 000010
【図９】
2004287525.tif 000011
【図１０】
2004287525.tif 000012
【図１１】
2004287525.tif 000013
【図１２】
2004287525.tif 000014
【図１３】
2004287525.tif 000015
【図１４】
2004287525.tif 000016
【図１５】
2004287525.tif 000017
【図１６】
2004287525.tif 000018
【図１７】
2004287525.tif 000019
【図１８】
2004287525.tif 000020